(57)【要約】【課題】ダウンライトが取り付けられる天井の厚みや材質にとらわれることなく、かつ取付用バネの弾性力に依存せず、部品点数を増やすことなく灯具を天井穴に固定することが可能なダウンライトを提供する。【解決手段】本発明に係るダウンライト１は、光源２１を有する灯具２と、前記光源２１に電力を供給する電源ユニット３と、一端が前記灯具２に連結され、もう一端が前記電源ユニット３に連結された弾性力を有する取付金具４と、を備えたことを特徴とする。【選択図】  図１
2014212057.tif 000002
【特許請求の範囲】
【請求項１】
光源を有する灯具と、
前記光源に電力を供給する電源ユニットと、
一端が前記灯具に連結され、もう一端が前記電源ユニットに連結された弾性力を有する取付金具と、
を備えたダウンライト。
【請求項２】
前記電源ユニットが天井穴に挿入されて天井の上面をスライドし、前記灯具が前記天井穴に挿入される際に、
前記取付金具は、前記灯具に対して前記天井の下方から前記天井に向かって力を発生させ、前記電源ユニットに対して前記天井の上方から前記天井に向かって力を発生させる弾性力を有することを特徴とする請求項１に記載のダウンライト。
【請求項３】
前記灯具には、前記取付金具が連結される取付部が該灯具の高さ方向に複数形成されることを特徴とする請求項１又は請求項２に記載のダウンライト。
【請求項４】
前記灯具は、外周に突出して設けられる補助バネを備えることを特徴とする請求項１から請求項３のいずれかに記載のダウンライト。
【請求項５】
前記取付金具は、前記灯具が連結される端から前記電源ユニットが連結される端までの間で前記灯具の上方へ湾曲されて形成されることを特徴とする請求項１から請求項４のいずれかに記載のダウンライト。
【発明の詳細な説明】
【技術分野】
【０００１】
本発明は、天井に埋め込んで設置されるダウンライトに関する。
【背景技術】
【０００２】
従来から、ダウンライトは、天井に設けられた天井穴からのスペースに電源ユニットや、ダウンライト本体を埋め込こんで使用されていた。しかしながら、照明器具の大光量出力による大型化、特に電源ユニットの大型化により、天井裏のスペースへ電源ユニットを挿入する際の施工性の向上が期待されている。このように、施工性の向上を目的として、天井穴に電源ユニットを挿入しやすく設計されたダウンライトが提案されている（例えば、特許文献１）
【先行技術文献】
【特許文献】
【０００３】
【特許文献１】特開２０１１−７０８５９号公報
【発明の概要】
【発明が解決しようとする課題】
【０００４】
特許文献１に記載されたダウンライトは、ダウンライトの灯具外周に取り付けられた取付用バネを押し窄めて、天井穴に挿入される。このとき、取付用バネは、外側方向に復帰し、弾性力により灯具本体を天井面に固定する。
【０００５】
このように、取付用バネを用いたダウンライトは、取付用バネの弾性力に依存して天井に固定されている。したがって、取付用バネは天井の材質に合わせて弾性力の調節が必要とされる。例えば、取付用バネは、取付強度が必要とされる木製天井を基準として弾性力が決定された場合、木製天井よりも強度の弱い石膏ボードに適用された際に弾性力が強すぎるため、灯具の取り外し時に石膏ボードを破損してしまうおそれがある。また、取付用バネは、石膏ボードなど強度の弱い天井材に合わせて弾性力が決定された場合、木製天井等の硬く滑りやすい天井へ適用した際に取り付け強度を保つことができない。
【０００６】
さらに、天井材の厚みは様々であるため、取付用バネは、天井の厚さによって特殊な加工や、複数設けられる等の対策が必要とされることがあった。
【０００７】
このように、ダウンライトを設置する天井材の材質や厚さに合わせて取付用バネを設計する必要がありコストの増大や生産性の低下を招いていた。
【０００８】
そこで、本発明は天井の厚みや材質にとらわれず、部品点数を増やすことなく取り付け可能なダウンライトを得ることを目的とする。
【課題を解決するための手段】
【０００９】
本発明のダウンライトは、光源を有する灯具と、前記光源に電力を供給する電源ユニットと、一端が前記灯具に連結され、もう一端が前記電源ユニットに連結された弾性力を有する取付金具とを備えたことを特徴とする。
【発明の効果】
【００１０】
本発明に係るダウンライトは、電源ユニットと灯具を連結する連結部材を弾性力を有する取付金具としたので、取付金具の弾性力を利用して灯具を天井面に持ち上げる力を発生させることができ、取付用バネの弾性力に依存せずにダウンライトを固定することができる。
【図面の簡単な説明】
【００１１】
【図１】実施の形態１に係るダウンライトの側面図。
【図２】実施の形態１に係るダウンライトの断面図。
【図３】実施の形態１に係るダウンライトの斜視図。
【図４】実施の形態１に係るダウンライトの分解図。
【図５】実施の形態１に係る取付金具の拡大図。
【図６】実施の形態１に係るダウンライトの取付方法を説明する図。
【図７】実施の形態２に係る灯具の斜視図。
【発明を実施するための形態】
【００１２】
実施の形態１．
以下、図１から図６を用いて実施の形態１に係るダウンライトについて説明する。図１は実施の形態１に係るダウンライトの側面図である。図２は実施の形態１に係るダウンライトの断面図である。図３は実施の形態１に係るダウンライトの斜視図である。図４は実施の形態１に係るダウンライトの分解図である。図５は実施の形態１に係る取付金具の拡大図である。図６は実施の形態１に係るダウンライトの取付方法を説明する図である。
【００１３】
以下、図１から図５を用いて実施の形態１に係るダウンライトの構成について説明する。
【００１４】
ダウンライト１は、灯具２、電源ユニット３から構成される。また、灯具２と電源ユニット３は互いに取付金具４で連結されている。
【００１５】
灯具２は、図２に示すように、光源２１、反射板２２、止め具２３、放熱フィン２４、補助バネ２５から構成されている。
【００１６】
光源２１は灯具２の内部に設置され、電源ユニット３から電力の供給を受けて発光する。例えば、ＬＥＤ等がこれにあたる。
【００１７】
反射板２２は椀形状で内面に鏡面処理又は白色の塗装処理が施され、上部に光源２１を収容する。また、反射板２２の下部の外周には止め具２３が取り付けられている。
【００１８】
止め具２３は灯具２の外周に設けられた枠状の突起であり、灯具２全体が天井穴に入り込まないように天井穴の径よりも大きく形成され、灯具２が天井穴に取り付けられた際には天井穴の外周で下方から天井面と当接する。
【００１９】
放熱フィン２４は光源２１が発光する際に発する熱を放熱する。また、放熱フィン２４の一部には取付金具４を連結するための取付金具連結用穴２４ａ、取付金具連結用穴２４ｂ（図４）が形成されている。
【００２０】
補助バネ２５は灯具２の外周に装着される。補助バネ２５は灯具２が天井に取り付けられた際に、灯具２の天井からの脱落を防止する。
【００２１】
電源ユニット３は、灯具２の光源２１へ電力を供給する装置である。電源ユニット３の側面には取付金具連結用穴３１ａが形成されている。この取付金具連結用穴３１ａの位置と対向するように電源ユニット３には取付金具連結用穴３１ｂが形成されている。取付金具連結用穴３１ａ、３１ｂは取付金具４の一端に連結される。また、電源ユニット３の下面にはスライド補助金具３２が装着されている。スライド補助金具３２は電源ユニット３を天井穴へ挿入した後、灯具２を天井穴に挿入する際に電源ユニット３をスライドさせる。また、スライド補助金具３２は天井穴に挿入された後に天井裏と当接する部分が天井裏を傷つけないように先端が切り返され、例えば丸みを帯びた形状で形成される。
【００２２】
取付金具４は、金属板を加工して形成されており、灯具２と電源ユニット３を連結する。なお、図１に示すように、取付金具４は灯具２の止め具２３よりも電源ユニット３のスライド金具３２が例えば下方に位置するように灯具２と電源ユニット３を連結する。
【００２３】
また、取付金具４は、図５に示すように金属板４４、４５から構成される。金属板４４と金属板４５との間には、金属板４４から金属板４５に向かって上部に湾曲して形成される可動部４３を有する。なお、図５ａはダウンライト取付時の上方から見た取付金具４の斜視図であり、図５ｂはダウンライト取付時の下方から見た取付金具４の斜視図である。金属板４４は一辺に取付金具側面板４２ａを備えており、この取付金具側面板４２ａが取り付けられた辺の対向する辺に取付金具側面板４２ｂをさらに備えている。また、金属板４５は一辺に取付金具側面板４２ｃを備えており、この取付金具４２ｃが取り付けられた辺の対向する辺には取付金具側面板４２ｄをさらに備えている。
【００２４】
可動部４３は、金属板４４の面と金属板４５の面とが角度を有するように金属板４４と金属板４５を接続する。具体的には、可動部４３は、取付金具４が灯具２と電源ユニット３とに接続された際に、金属板４４の面に対して、金属板４５の可動部４３の反対側に位置する辺が下方に位置するように、金属板４５を傾斜させて金属板４４、４５を接続している。また、可動部４３はダウンライト１が天井に取り付けられる際に湾曲した部分が可動する。可動を妨げないようにするため、可動部４３の湾曲した部分の縁には取付金具側面板４２ａ〜４２ｄは取り付けられない。
【００２５】
取付金具４は取付金具側面板４２ａに灯具連結用穴４１ａ、取付金具側面板４２ｂに灯具連結用穴４１ｂ、取付金具側面板４２ｃに電源ユニット連結用穴４１ｃ、取付金具側面板４２ｄに電源ユニット連結用穴４１ｄがそれぞれ形成されている。
【００２６】
取付金具４は、灯具連結用穴４１ａ、４１ｂと、灯具２の放熱用フィン２４に形成された取付金具連結用穴２４ａ、２４ｂとをそれぞれ重ね合わせてヒンジ５ａ、５ｂがそれぞれ重ね合わせた穴に挿入されることで灯具２と連結される。また、取付金具４は、電源ユニット連結用穴４１ｃ、４１ｄと、電源ユニット３に形成された取付金具連結用穴３１ａ、３１ｂとをそれぞれ重ね合わせてヒンジ６ａ、６ｂがそれぞれ重ね合わせた穴に挿入されることで電源ユニット３と連結される。なお、実施の形態１に係る取付金具４はヒンジ５ａ、５ｂ、６ａ、６ｂによって灯具２及び電源ユニットと連結されるように構成したが、これに限られず、直接溶接などにより接着されてもよい。
【００２７】
取付金具４は弾性力を有する金属板で形成されるため、灯具２と電源ユニット３とを引きつける力を発生する。取付金具４の可動部４３は可動することを目的として形成されており、灯具２を軸に電源ユニット３を上下に可動させる。また、可動部４３は半円を描くように形成されているため、応力が可動部４３に集中し、灯具２と取付金具４とが連結される部分には直接荷重がかかりにくい。また、取付金具４は灯具２と電源ユニット３との距離を離すことができるため、灯具２と電源ユニット３とが互いの熱の影響を受けにくくすることができ、放熱フィン２４の数を少なくすることができる。
【００２８】
以下、図６を用いて実施の形態１に係るダウンライト１の取り付け方法について説明する。図６は実施の形態１に係るダウンライトの取り付け方法を説明する図である。
【００２９】
図６ａにおいて、まず電源ユニット３を天井Ｃの天井穴Ｈに挿入する。電源ユニット３を天井穴Ｈに挿入する際、灯具２を軸に、電源ユニット３を上方向へ持ち上げ、電源ユニット３が灯具２の上方に位置するように取付金具４を変形させる。また、電源ユニット３は電源ユニット３と取付金具４とが連結された連結部と反対側に位置する端部から電源ユニット３を天井穴Ｈに挿入する。
【００３０】
図６ｂにおいて、スライド補助金具３２を天井Ｃの天井裏に乗せる。このとき、取付金具４の弾性力により、灯具２は天井Ｃの下方から上方へ、電源ユニット３は天井Ｃの上方から下方へそれぞれ天井Ｃに向かって力が働く。次に、電源ユニット３を奥へ、すなわち図６ｂの右方向へスライドさせる。このとき、電源ユニット３に設置されたスライド補助金具３２は、天井裏をスライドする。また、灯具２も天井Ｃに沿って図６ｂの右方向へスライドさせる。なお、灯具２及び電源ユニット３のスライド時においても、灯具２は天井Ｃの下方から上方へ、電源ユニット３は天井Ｃの上方から下方への力が取付金具４の弾性力により発生する。電源ユニット３の天井Ｃを下方へ押す力は、灯具２を天井Ｃの上方へ引き寄せる力を補助するため、灯具２を天井穴Ｈへ挿入しやすくなる。さらに、取付金具４は電源ユニット３を天井穴Ｈへ挿入する際に上下方向に可動するため、使用する天井Ｃの上方のスペース（天井Ｃの上面からの高さＴ）を最小限に抑えることができる。
【００３１】
図６ｃにおいて、灯具２は、天井穴Ｈの真下に到達した時点で、天井穴Ｈへ挿入される。このとき、補助バネ２５を押し窄めて天井Ｈの径以下にしてから灯具２を天井穴へ挿入する。また、補助バネ２５は天井穴Ｈの縁に引っ掛けられる。補助バネ２５を天井穴Ｈの縁に引っ掛けた後、灯具２を天井Ｃ側へ押し上げることによって天井穴Ｈにはめ込む。
【００３２】
図６ｄにおいて、灯具２を天井Ｃに取付後、取付金具４は弾性力により、灯具２を天井Ｃ側へ押圧し続ける。また、電源ユニット３についても天井Ｃ側へ押圧され続ける。したがって、灯具２は天井から脱落することがない。さらに、補助バネ６は取付金具４の弾性力を補助するので、灯具２の脱落防止がより強固なものとなる。以上でダウンライト１の取付が終了する。
【００３３】
なお、実施の形態１に係るダウンライト１において、取付金具４の可動部４３を半円を描くように構成したが、これに限らず、可動する形状であれば曲線でなくともよい。例えば、取付金具４の可動部４３は、金属板を折り曲げて形成される構造としてもよい。
【００３４】
また、実施の形態１に係るダウンライト１において、取付金具４は灯具２の止め具２３よりも電源ユニット３のスライド金具３２が下方に位置するように灯具２と電源ユニット３を連結するものとしたが、これに限られず、ダウンライト１を天井穴に取り付けた際に、電源ユニット３の一部が天井の上方から下方へと押圧し、止め具２３が下方から天井を押圧するように構成すればよい。
【００３５】
以上のように、実施の形態１に係るダウンライト１は、灯具２と電源ユニット３とが弾性力のある取付金具４によって連結され、灯具を下方から天井に押圧する力と、電源ユニット３を天井の上方から下方へ押圧する力を発生させるように構成されるため、従来の単なる可動式の取付部材を用いた場合よりも灯具２を天井に円滑に挿入させることができる。
【００３６】
また、実施の形態１に係るダウンライト１は、灯具２と電源ユニット３とが弾性力を有する取付金具で連結され、取付金具４の弾性力によって灯具２を天井穴に固定するので、灯具２を天井穴に固定するための取付用バネが不要となり、部品点数を減らすことができる。
【００３７】
さらに、実施の形態１に係るダウンライト１は、灯具２と電源ユニット３とが弾性力を有する取付金具で連結され、取付金具４の弾性力によって灯具２を天井穴に固定するので、天井を破損することもない。
【００３８】
実施の形態２．
以下、図７を用いて実施の形態２に係るダウンライトの構成について説明する。図７は実施の形態２に係る灯具の斜視図である。なお、以下の説明において、実施の形態１に係るダウンライトの構成に相当する部分には図１から図６と同一符号を付してその説明を省略する。
【００３９】
実施の形態２に係るダウンライトの灯具２は、放熱フィン２４に複数の取付金具連結用穴２４ａ〜２４ｆを形成したことで、取付金具４の弾性力を調整可能としたことを特徴とする。
【００４０】
取付金具連結用穴２４ａ〜２４ｆは、２４ａと２４ｂ及び２４ｃと２４ｄ及び２４ｅと２４ｆとがそれぞれセットで使用される。なお、２４ａと２４ｂ及び２４ｃと２４ｄ及び２４ｅと２４ｆをそれぞれ取付部とする。取付金具連結用穴２４ａ〜２４ｆと取付金具４に形成された灯具連結用穴４１ａ、４１ｂとは、重ね合わされてヒンジ５ａ、５ｂにより
固定される。使用者は、灯具２の重量に応じて取付金具連結用穴２４ａ〜２４ｆを選択することにより、取付金具４の弾性力を調節することができる。例えば、取付金具連結用穴２４ａ、２４ｂと灯具連結用穴４１ａ、４１ｂを重ね合わせて灯具２と取付金具４とを連結した場合に比べて、取付金具連結用穴２４ｃ、２４ｄと灯具連結用穴４１ａ、４１ｂを重ね合わせて灯具２と取付金具４とを連結した場合の方が取付金具４の弾性力は大きくなる。すなわち、放熱フィン２４に形成された取付金具連結用穴２４ａ〜２４ｆのうち、止め具２３に近い取付金具連結用穴２４ａ〜２４ｆを使用して灯具２と取付金具４とを連結するほど、取付金具４の弾性力は大きくなる。
【００４１】
なお、実施の形態２に係るダウンライトにおいて、取付金具連結用穴２４ａ〜２４ｆは６つ形成されるが、これに限られず、取付金具連結用穴２４ａ〜２４ｆはさらに追加して形成されてもよい。
【００４２】
また、実施の形態２に係るダウンライトにおいて、取付金具連結用穴２４ａ〜２４ｆは放熱フィン２４の上方から下方に向けて２個ずつ対向するようにセットで形成されるが、これに限られず、取付金具連結用穴２４ａ〜２４ｆが形成された位置から放熱フィンを介して反対方向に形成されてもよい。
【００４３】
さらに、実施の形態２に係る取付金具４は、一枚の金属板で形成するものとしたが、これに限られず、個々が着脱可能な複数の金属板で形成されるようにしてもよい。このように取付金具４の複数の金属板の数を調整することによって、灯具２の重量に応じて弾性力を調整することができる。
【００４４】
実施の形態２に係るダウンライトは、取付金具連結用穴２４ａ〜２４ｆが複数形成されるので、灯具２の重量に応じて取付金具４の弾性力を調整することができる。
【符号の説明】
【００４５】
１  ダウンライト、２  灯具、３  電源ユニット、４  取付金具、５ａ、５ｂ、６ａ、６ｂ  ヒンジ、２１  光源、２２  反射板、２３  止め具、２４  放熱フィン、２４ａ〜２４ｆ  取付金具連結用穴、２５  補助バネ、３１ａ、３１ｂ  取付金具連結用穴、３２  スライド補助金具、４１ａ、４１ｂ  灯具連結用穴、４１ｃ、４１ｄ  電源ユニット連結用穴、４２ａ、４２ｂ、４２ｂ、４２ｄ  取付金具側面板、４３  可動部
【図１】
2014212057.tif 000003
【図２】
2014212057.tif 000004
【図３】
2014212057.tif 000005
【図４】
2014212057.tif 000006
【図５】
2014212057.tif 000007
【図６】
2014212057.tif 000008
【図７】
2014212057.tif 000009